(57)【要約】【課題】本発明の課題は、給電線無しで発光可能、かつ、その載置側板状部材、例えばコースター、の上にさらに、物品、例えばグラス、を安全に載置可能な発光システムを提供することである。【解決手段】本発明の発光システムは、給電機構を含む被載置側板状部材、並びに、受電機構、及び有機ＥＬ発光パネルを含む載置側板状部材、を含む発光システムであって、該載置側板状部材の全表面が、有機ＥＬ発光素子に対し導電経路を有さない電気絶縁された絶縁表面のみからなり、該絶縁表面が、平面視該発光領域の少なくとも一部を含む、透光性ガラス、又は透光性樹脂からなる天板を含む表面側主面と、該絶縁表面として、多少の凹凸を含んでも良い該載置平面を含む底部材と、を含む裏面側主面を含む。【選択図】図１
2016219225.tif 000002
【特許請求の範囲】
【請求項１】
給電機構、及び被載置平面を含む被載置側板状部材、並びに、
載置平面と、該給電機構から給電された電力を受電可能な受電機構、及び発光領域をその発光面に含む有機ＥＬ発光パネルを含む内部構成部品と、を含む載置側板状部材、を含む発光システムであって、
該載置側板状部材の全表面が、
該有機ＥＬ発光パネルに含まれる有機ＥＬ発光素子に対し導電経路を有さない電気絶縁された絶縁表面のみからなり、
該絶縁表面が、平面視該発光領域の少なくとも一部を含む、透光性ガラス、又は透光性樹脂からなる天板を含む表面側主面と、該絶縁表面として、多少の凹凸を含んでも良い該載置平面を含む底部材と、を含む裏面側主面を含む、発光システム。
【請求項２】
前記内部構成部品が、前記受電機構と前記有機ＥＬ発光パネルとの間に、さらに、磁性体板状部材を備え、該磁性体板状部材が、平面視、前記受電機構を覆う、請求項１に記載の発光システム。
【請求項３】
前記底部材が、前記載置平面として、表面算術平均粗さＲaが１μｍ以上、１ｍｍ以下での一主面を有する樹脂フィルムを含む、請求項１、又は２に記載の発光システム。
【請求項４】
前記表面側主面に、さらに、水滴を吸収可能、かつ、前記発光領域からの発光の少なくとも一部を透過可能な水滴吸収層であって、前記絶縁表面を構成する水滴吸収層を備える、請求項１〜３のいずれかに記載の発光システム。
【請求項５】
前記内部構成部品が、前記天板、及び前記有機ＥＬ発光パネルの間に、平面視、前記発光領域の少なくとも一部を含み、かつ、空気層を介して前記天板と部分的に接する光散乱性凹凸表面を有する透光性材料層を備える、請求項１〜４のいずれかに記載の発光システム。
【請求項６】
前記表面側主面側から観察した場合に、平面視、前記発光領域内に鏡状金属光沢を有する鏡領域が存在する、請求項１〜５のいずれかに記載の発光システム。
【請求項７】
前記被載置平面上に、前記載置側板状部材を載置することのみで、
前記受電に対応する前記給電する電力に相当する、前記給電機構に対する外部からの電力の給電力が開始可能である、請求項１〜６のいずれかに記載の発光システム。
【請求項８】
前記天板、及び前記底部材と、これらを連結する側面部とが、可動部を含まず、かつ、前記全表面を有する筐体を構成する、請求項１〜７のいずれかに記載の発光システム。
【請求項９】
請求項１〜８のいずれかに記載の発光システムに用いられる、載置側板状部材。
【発明の詳細な説明】
【技術分野】
【０００１】
本発明は、発光システムに関し、特に、ワイヤレス給電・受電機構を含む発光システムに関する。
【背景技術】
【０００２】
近年、白熱灯や蛍光灯に代わる発光装置として有機ＥＬ発光パネルが注目され、多くの研究がなされている。ここで、有機ＥＬ発光パネルは、薄く且つ面状に発光する有機ＥＬ発光素子を含み、この素子の発光部分に対応する発光領域を含む発光面を有するパネルである。また、一般に、有機ＥＬ発光素子は、基材となるガラス基板や透明樹脂フィルム／金属シート等の基板上に形成され、一方又は双方が透光性を有し対向する電極と、その電極間に挟持された機能層とを含む。ここで、機能層は、有機化合物を含み、かつ、発光層を含む、一般には薄膜の、多層膜である。このような有機ＥＬ発光素子は、前記基板上において、一般には、凹状窪みが形成された封止ガラスキャップや、この有機ＥＬ素子発光素子上に製膜したＳｉＯ２、ＳｉＮなどの無機絶縁膜、又は有機絶縁膜などからなる封止膜で封止される。このようにして有機ＥＬ発光パネルは作製される。前記電極間に電力を与えると、有機ＥＬ発光素子の中で電気的に励起された電子と正孔とが再結合し、前記発光部分は発光し、対応して前記発光領域から拡散光が出射される。このようにして、薄くて軽く面状に発光する有機ＥＬ発光パネルが得られることになる。
【０００３】
一方、近年、無線給電技術の研究開発がさかんに実施されている。そして、この技術と有機ＥＬ発光パネルとを組み合わせた新たな製品の開発にも注目が集まっており、例えば、特許文献１には、有機ＥＬ発光パネルと様々な無線給電技術とを組み合わせて、各々の特徴を組み合わせることで特有の効果が得るための構成が、開示されている。
【０００４】
また、特許文献２はそのような具体的な製品としてイルミネーションが施されたサービングトレイを開示しており、このトレイは、光が通り抜けることができる大皿、及び大皿の下に配置されたが有機発光ダイオードシート状光源であって、光を均一に放射し、トレイ上に置かれた対象に均一な照射を生じるシート状光源を含み、前記有機発光ダイオードを作動させるために、誘導による電力を受けるための非接触誘導給電システムの受信部分をさらに含まれていても良いことを開示する。
【先行技術文献】
【特許文献】
【０００５】
【特許文献１】ＷＯ２０１３／１２５４３５パンフレット
【特許文献２】特表２０１２−５２１８４５号公報
【発明の概要】
【発明が解決しようとする課題】
【０００６】
ところが特許文献１には、例えば特許文献２開示のトレイとして、有機ＥＬ発光パネルと無線給電とを組み合わせて特有の効果を得るための方法について具体的な記載が無い。また、特許文献２では前記特有の効果について十分に発揮できているか疑問であり、さらに具体的な使用方法を想定した改良が必要であるという課題がある。
【０００７】
本発明は、このような先行技術の問題点に鑑み為されたものであり、給電線無しで発光可能、かつ、その載置側板状部材、例えばコースター、の上にさらに、物品、例えばグラス、を安全に載置可能な発光システムを提供するものである。
【課題を解決するための手段】
【０００８】
本発明者らは上記課題に鑑み鋭意検討した結果、有機ＥＬ発光パネルと受電機構とを一体化した内部構成部品を、特定の筐体で包んだ構成とすることが、具体的な使用においては必要であることを見出し、さらに種々検討することにより、本発明を完成するに至った。
【０００９】
即ち、本発明は、給電機構、及び被載置平面を含む被載置側板状部材、並びに、載置平面と、該給電機構から給電された電力を受電可能な受電機構、及び発光領域をその発光面に含む有機ＥＬ発光パネルを含む内部構成部品と、を含む載置側板状部材、を含む発光システムであって、
該載置側板状部材（コースター）の全表面（筐体）が、
該有機ＥＬ発光パネルに含まれる有機ＥＬ発光素子に対し導電経路を有さない電気絶縁された絶縁表面のみからなり、
該絶縁表面が、平面視該発光領域の少なくとも一部を含む、透光性ガラス、半透光製板材又は透光性樹脂からなる天板を含む表面側主面と、該絶縁表面として、多少の凹凸を含んでも良い該載置平面を含む底部材と、を含む裏面側主面を含む、発光システムに関する。このように、本発明の発光システムは、その載置側板状部材が、その全表面が絶縁表面であり、また、透光性ガラス、又は透光性樹脂からなる天板を含むので、給電線無しで発光可能、かつ、その載置側板状部材の上にさらに物品を安全に載置可能な発光システムを提供することができる。
【００１０】
また、前記内部構成部品は、前記受電機構と前記有機ＥＬ発光パネルとの間に、さらに、磁性体板状部材を備え、該磁性体板状部材が、平面視、前記受電機構を覆うこと、より好ましくは、有機ＥＬ発光パネルを覆うことが好ましく、受電効率向上が図れ、均熱化、破損防止できる場合もある。
【００１１】
また、前記底部材が、前記載置平面として、表面算術平均粗さＲaが１μｍ以上、１ｍｍ以下での一主面を有する樹脂フィルム、より好ましくは含フッ素樹脂フィルム、さらに好ましくはそのラミネートフィルムとすることが好ましく、被載置側板状部材への張り付きが防止された載置側板状部材を安価簡便に提供することができる。
【００１２】
また、前記表面側主面に、さらに、水滴を吸収可能、かつ、前記発光領域からの発光の少なくとも一部を透過可能な水滴吸収層であって、前記絶縁表面を構成する水滴吸収層を備えることが好ましく、水滴が気にならない、無線発光コースターを実現することができる。
【００１３】
また、前記内部構成部品が、前記天板、及び前記有機ＥＬ発光パネルの間に、平面視、前記発光領域の少なくとも一部を含み、かつ、空気層を介して前記天板と部分的に接する光散乱性凹凸表面を有する透光性材料層を備えることが好ましく、輝度効率向上するだけでなく、当該部分が不透明（白色）部分となり装飾性向上ことができる。
【００１４】
また、前記表面側主面側から観察した場合に、平面視、前記発光領域内に鏡状金属光沢を有する鏡領域が存在することが好ましく、当該部分が透明（鏡）部分となり装飾性向上ことができる。
【００１５】
また、前記被載置平面上に、前記載置側板状部材を載置することのみで、
前記受電に対応する前記給電する電力に相当する、前記給電機構に対する外部からの電力の給電力が開始可能であることが好ましく、本発明の載置側板状部材の載置の瞬間に発光させることが出来る。
【００１６】
また、前記天板、及び前記底部材と、これらを連結する側面部とが、可動部を含まず、かつ、前記全表面を有する筐体を構成することが好ましく、スイッチ無しで薄い本発明の載置側板状部材を実現することができる。
【００１７】
さらに、本発明は、前記本発明の発光システムに用いられる載置側板状部材に関する。
【発明の効果】
【００１８】
本発明の発光システムによれば、面状発光領域を有する薄く軽い載置側板状部材を用いて、給電線無しで当該面状発光領域を発光可能であり、かつ、その載置側板状部材の上にさらに物品を安全に載置可能である、発光システムが提供できる。
【図面の簡単な説明】
【００１９】
【図１】本発明の発光システム１００の一実施形態を示す断面概念図である。
【図２】本発明の載置側板状部材１の一実施形態を示す断面図である。
【図３】本発明に係る有機ＥＬ発光パネル１０の一実施形態を示す断面概念図である。
【図４】実施例１の載置側板状部材１の写真（斜視図）である。
【図５】実施例２の底部材４２０取り付け前の、載置側板状部材１の写真（斜視図）である。
【図６】実施例２の載置側板状部材１と、被載置側板状部材本体を除いた被載置側板状部材９とを組み合わせて点灯させた状態の写真（斜視図）である。
【発明を実施するための形態】
【００２０】
以下、本発明の実施形態について図１〜３を参照しながら説明する。
【００２１】
図１は、本発明の発光システム１００の一実施形態を示す断面概念図である。
【００２２】
図２は、本発明の載置側板状部材１の一実施形態を示す断面図である。
【００２３】
（発光システム１００）
本発明の発光システム１００は、被載置側板状部材９（例えばテーブルの天板）及び載置側板状部材１（例えば飲み物入りのグラスをさらにその上に載置する為のコースター）を含み、当該載置側板状部材１に含まれる有機ＥＬ発光パネル１０の発光領域１２が、無線給電により発光することで、前記載置側板状部材１上の物品（例えば前述の飲み物入りのグラス）及びその周辺に、光を照射する発光システムである。
【００２４】
好ましくは、被載置側板状部材９の被載置平面９９上に載置側板状部材１を載置することのみで、被載置側板状部材９の給電機構９１に対し、前記無線給電に係る受電に対応する給電する電力に相当する、外部からの電力の給電力が開始可能である。
【００２５】
即ち、本発明のシステムにおいては、例えば以下の（１）、（２）のような前記発光領域１２の発光開始／発光終了を想定している。
（１）前記外部からの電力の前記被載置側板状部材９の給電機構９１への給電力を、これら外部と給電機構９１、例えば給電パッドの間のＯｎ／Ｏｆｆスイッチにより制御する方法。例えば、結婚式などの演出で、各テーブルに設置された外部から給電機構９１に至る送電線の電源をＯｎ／Ｏｆｆすることで、受電側のコースターのＯｎ／Ｏｆｆを制御する。それにより、突然コースターが一斉に光る、などの演出効果が期待できる。
（２）前記載置側板状部材１、例えば、コースター上にグラス等が載置されていて、前記被載置側板状部材９、具体的には、その給電機構９１、例えば給電パッドと、載置側板状部材（コースター）１、例えば、有機ＥＬ発光パネル１０、具体的には、その受電機構２との位置関係が変化することでＯｎ／Ｏｆｆ制御する方法。例えば、
通常のバーカウンターなどで、給仕がグラスとコースターを持ってきて、被載置側板状部材９であるテーブルの被載置平面９９に置いたときにＯｎし、コースターを動かすと、場所によってＯｎ／Ｏｆｆする。それにより、客がいる席付近のみ局所照明できるので、電気消費量の削減効果が期待できる。
【００２６】
（被載置側板状部材９）
本発明に係る被載置側板状部材９は、給電機構（Ｔx）９１、及び被載置平面９９を含み、例えば、給電機構（Ｔx）９１を含むテーブル天板である。前記被載置平面９９上に、本発明の載置側板状部材１、例えば、コースターが載置される他、その他の物品が載置可能である。
【００２７】
本発明に係る給電機構（Ｔx）９１は、好ましくは、前記被載置平面９９をその上面とする被載置側板状部材本体の下面側、より好ましくは、下面側に接して配置され、好ましくは、コイル状、又は、プレート上の導電部材を含み、システム外部から給電力された電力の少なくとも一部を本発明に係る後述する受電機構（Ｒx）２に給電する機能を有する。また、本発明に係る給電機構（Ｔx）９１は、本発明に係る被載置側板状部材９に少なくとも１つ含まれていれば良く、複数含まれていても良い。
【００２８】
本発明に係る被載置平面９９は、前述した被載置側板状部材本体の上面である。即ち、好ましくはこの被載置側板状部材本体を介して、前記給電機構（Ｔx）９１から前記受電機構（Ｒx）２への給電が為される。この為、本発明に係る前記給電を効率的に実施せしめる観点から、好ましい前記本体の厚みは、１ｍｍ以上、１００ｍｍ以下、より好ましくは２ｍｍ以上、５０ｍｍ以下、さらに好ましくは４ｍｍ以上、２５ｍｍ以下であり、好ましい前記本体の材料は、木材、及び樹脂からなる１種以上の材料を主成分とする材料である。
【００２９】
このような、本発明に係る給電／受電、即ち、無線給電であって、本発明に適用可能な無線給電としては、以下の（１）（２）に記載するものが好適なものとして例示できる。
（１）電磁誘導方式（Ｑｉ方式）：本明細書における実施例で適用した方式であり、好ましい方式である。ＲｘとＴｘとしてコイルを使用し、コイル間距離５ｍｍで最も効率的に給電／受電が実施される場合があるので、この場合には、前記本体の厚みを３ｍｍ以下とすることが好ましく、より好ましくは２ｍｍ以下である。また、ＲｘとＴｘのコイルは、水平方向で比較的同軸であることが高効率の給電／受電に直結する場合があり、被載置平面９９に、載置側板状部材１を載置すべき位置を示して用いることが好ましい。
【００３０】
このような電磁誘導方式には低結合型電磁誘導方式が含まれる。そして低結合型電磁誘導方式は、前記コイル間距離２０ｍｍでも効率的に給電／受電が実施できる場合があり、また、後述する１対多の対応が可能な場合があり、さらに、水平方向で比較的同軸でなくても、軸中心が１０ｍｍ程度ずれていても効率的に給電／受電が実施できる場合があり、より好ましい。
（２）磁界共鳴方式（Ａ４ＷＰ方式など）：水平、垂直方向ともに磁界が届く範囲であれば高効率の給電／受電が可能なので、より好ましい方式である。また、この方式においては、一の給電機構９１に対して、例えば、一の被載置側板状部材９に対して、複数の受電機構２、例えば、複数の載置側板状部材１を対応させて無線給電可能なので、このような１対多の対応のシステムとすることがより好ましい。さらに、中継コイルを設置することにより、磁場を拡張し、受電可能範囲を広げることもでき、このような中継コイルを用いたシステムとすることがより好ましい。
【００３１】
このような磁界共鳴方式には直流共鳴方式が含まれる。そして直流共鳴方式は、本発明に係る給電機構９１、受電機構２を簡便化するために独特の工夫がなされており、本発明のシステムを実用化するために最も適した方式である。
【００３２】
（載置側板状部材１）
図２に示すように、本発明の載置側板状部材１は、載置平面４２４、及び内部構成部品３を含み、これらが載置側板状部材１の全表面４であって、当該載置平面４２４を含む全表面４により取り囲まれた構造を有する板状の部材である。
【００３３】
前記内部構成部品３は、受電機構２、及び有機ＥＬ発光パネル１０を含み、この有機ＥＬ発光パネル１０が、前記受電機構２が受電した電力により、さらにその上に載置された物品に向けて光を照射する機能を有する。好ましくは、この電力は、前記受電機構２から、駆動回路を介して、前記有機ＥＬ発光パネル１０に供給される。
【００３４】
前記受電機構２は、前記載置平面４２４と前記有機ＥＬ発光パネル１０との間に配され、前記給電機構９１から給電された電力を受電する機能を有し、前記有機ＥＬ発光パネル１０は、この受電した電力により発光する発光領域１２であって、前述の光照射に係る光を出射する面状の発光領域１２を、前記物品に対向する発光面に有する。即ち、前記有機ＥＬ発光パネル１０は、光領域１２をその発光面に含む。
【００３５】
本発明の載置側板状部材１の外形は、三角形、正方形を含む矩形、その他の多角形や、真円を含む楕円とすることができるが、その発光領域１２に比しコンパクトならしめる観点から、その外形は、発光領域１２の外形と相似形であることが好ましい。また、平面視その外形中の発光領域１２の面積比率は、前記物品、及び周囲に十分な光を照射可能とする観点から好ましくは１０％以上、１００％以下、より好ましくは３０％以上、９５％以下、さらに好ましくは５０％以上、特に好ましい７０％以上である。さらに、平面視、前記外形中において発光領域１２を連続する一領域とすることもできるが、複数の領域としたり、非発光領域を含む環状の発光領域１２としたりできる。
【００３６】
本発明の載置側板状部材１の厚みは、その有機ＥＬ発光パネル１０の薄さ軽さの特徴を活かし例えばコースターとした場合の実用性を高める観点から、好ましくは１ｍｍ以上、５０ｍｍ以下とされ、より好ましくは２ｍｍ以上、３０ｍｍ以下、さらに好ましくは２０ｍｍ以下、特に好ましいくは１０ｍｍ以下である。
【００３７】
（内部構成部品３）
本発明に係る内部構成部品３は、前記受電機構２、および前記有機ＥＬ発光パネル１０を含み、好ましくは、さらに、透光性材料層３０、磁性体板状部材２０を含み、より好ましくは、駆動回路を含む。この駆動回路は、前記受電機構２と前記有機ＥＬ発光パネル１０との間に配されることが好ましく、より好ましくは、本発明に係る磁性体板状部材２０と並んで配置される。
【００３８】
前記透光性材料層３０は、前記有機ＥＬ発光パネル１０と、前記全表面４の前記物品側の主面である表面側主面４１の少なくとも一部を構成し、平面視、前記発光領域１２の少なくとも一部を含む後述する天板４１１と、の間に配される層であり、平面視、前記発光領域１２の少なくとも一部を含み、かつ、空気層を介して天板４１１と部分的に接する光散乱性凹凸表面を有し、平面視前記発光領域１２を覆う領域において、前述の発光領域からの光の出射効率を向上せしめたり、色や角度依存の光学特性を向上せしめたりする機能を有する層であり、一般にＯＣＦフィルム（Ｏｕｔ−Ｃｏｕｐｌｉｎｇ  Ｆｉｌｍ）と呼称されるフィルム等で構成される層である。
【００３９】
また、この透光性材料層３０は、その前記平面視前記発光領域１２を覆う領域の前記物品側からの外観を、光散乱性表面、例えば白色、にする機能を有する。逆に、この透光性材料層３０が平面視前記発光領域１２を覆わない領域では前記外観は透明な印象を与える金属光沢表面となるので、前記光散乱性表面は、不透明な印象を与えることとなる。本発明に係る発光領域１２に、これら光散乱性表面、及び、金属光沢表面を様々に組み合わせて配置することで、本発明の載置側板状部材１の意匠性を向上することができ、かつ、後述するように、この透光性材料層３０形成は、後述するように、その好ましい実施態様ではＯＣＦフィルムを有機ＥＬ発光パネル１０表面に貼るだけで、容易、かつ、様々な形状にて実施できる。
【００４０】
この透光性材料層３０を形成する方法としては、前記発光パネル１０表面にアクリル等からなる樹脂を塗ってナノインプリントする方法やガラスビーズを含んだ樹脂をスプレーコートやスリットコートする方法があるが、一表面に微小な凹凸構造をもち、他表面に粘着材が付いた樹脂フィルム（即ち、前述のＯＣＦフィルム）を、その一表面が前記天板４１１側となるように前記表面に貼ることが好ましい。
【００４１】
（有機ＥＬ発光パネル１０）
図３は、本発明に係る有機ＥＬ発光パネル１０の一実施形態を示す断面概念図である。
【００４２】
本発明に係る有機ＥＬ発光パネル１０は、後述する天板４１１と、記受電機構２との間に配される部材であって、前記発光領域１２をその発光面に含む板状の部材であり、この発光領域１２に対応し有機ＥＬ発光素子１１を含む。好ましくは、前記表面側主面４１側から観察した場合に前記金属光沢表面として観察される、平面視、発光領域１２内に鏡状金属光沢を有する鏡領域が存在し、この鏡領域は、後述する金属陰極層が、同様に後述する、機能層、透光導電性陽極層、及び透明絶縁基材と、前記天板４１１とを介して前記物品側から観察されるものである。
【００４３】
本発明に係る有機ＥＬ発光パネル１０の外形は、好ましくは、本発明の載置側板状部材１の外形とほぼ同一とされる。また、本発明に係る有機ＥＬ発光パネル１０の厚みとしては、好ましくは０．５ｍｍ以上、５ｍｍ以下、より好ましくは１ｍｍ以上、３ｍｍ以下とされる。
【００４４】
前記有機ＥＬ発光素子１１は、前記受電機構２と電気接続される。
【００４５】
また、このような有機ＥＬ発光素子１１は、好ましくは、本発明に係る有機ＥＬ発光パネル発光パネル１０の本体である、透明絶縁基材上に、好ましくは、透明性および絶縁性に優れるガラス基板上に、前記物品側から順に、透光導電性陽極層、有機化合物を含有する発光層を含む、複数の薄膜が積層されたものである機能層、及び金属陰極層を形成したものである。好ましくは、このようにして形成した有機ＥＬ発光素子１１は、素子への水分の浸入を防止するために、封止される。
【００４６】
（磁性体板状部材２０）
本発明に係る磁性体板状部材２０は、前記受電機構２と前記有機ＥＬ発光パネル１０との間に配され、平面視、前記受電機構２を覆い、本発明に係る給電／受電効率を向上せしめる機能を有する常磁性体材料からなる板状の部材である。前記有機ＥＬ発光素子１１で発生した熱を面内において均熱化することで、発光領域１２内で高い輝度均一性を確保する観点から平面視前記発光領域１２の全面を覆うことが好ましい。また、好ましくは薄く軽い本発明に係る有機ＥＬ発光パネル１０の強度を確保し、その損傷を防止する観点から平面視前記有機ＥＬ発光パネル１０の全面を覆うことがより好ましい。
【００４７】
本発明に係る磁性体板状部材２０の材料としては、常磁性材料であるフェライト、鉄、珪素鋼及びアモルファス合金が好ましく、この中でも、前記給電／受電効率の向上性に優れるフェライトがより好ましい。また、本発明に係る磁性体板状部材２０の厚みとしては、前記給電／受電効率向上性、及び本発明の載置側板状部材１を薄く軽くする観点から、０．０１ｍｍ以上、１ｍｍ以下とすることが好ましく、より好ましくは０．０５ｍｍ以上、０．５ｍｍ以下とすることである。
【００４８】
（全表面（筐体）４）
本発明に係る全表面４は、前述したように本発明の載置側板状部材１の全表面４であって、本発明に係る発光素子１１に対し導電経路を有さない電気絶縁された絶縁表面のみからなる。即ち、当該全表面４は、有機ＥＬ発光素子１１に対し導電経路を有さない表面であれば、導電性表面を一部に有していても良い。また、本発明に係る全表面４は、前記物品がさらに載置される側の主面である表面側主面４１、及びその反対側の主面であって、前記載置平面４２４を含む裏面側主面４２を含む。
【００４９】
前記表面側主面４１は後述する天板４１１を含み、前記裏面側主面４２は後述する底部材４２０を含むが、薄く軽く安価な本発明の載置側板状部材１とするために、前記天板４１１、および前記底部材４２０と、これらを連結する側面部とが、前記全表面４を有する筐体４を構成することが好ましく、また、可動部、例えば、前記給電機構９１から前記発光素子１１への導電経路の開閉スイッチ、を含まないことがより好ましい。
【００５０】
（表面側主面４１）
本発明に係る表面側主面４１は、本発明の載置側板状部材１の上に、さらに前記物品を安全に載置可能とするために、平面視発光領域１２の少なくとも一部を含み、かつ、透光性ガラス、好ましくは透光性強化ガラス、又は透光性樹脂からなる天板４１１を含むことを一つの特徴とする。
【００５１】
前記天板４１１の外形は、好ましくは平面視、前記発光領域１２の全面を覆い、より好ましくは前記有機ＥＬ発光パネル１０の全面を覆い、さらに好ましくは前記載置側板状部材１の外形とほぼ同一である。透光性樹脂からなる天板４１１とした場合に、好ましい材料としては、アクリル樹脂、ＰＥＴ樹脂、ポリカーボネート樹脂、及びＰＶＣから選ばれる１種以上を挙げることができるが、光学特性、耐候性、耐薬品性の観点からアクリル樹脂がより好ましい。また、その厚みとしては、軽く薄い本発明の載置側板状部材１を実現しつつ、上述の安全載置性を十分に確保する観点から、好ましくは０．５ｍｍ以上、５ｍｍ以下、より好ましくは１ｍｍ以上、３ｍｍ以下とすることである。
【００５２】
本発明に係る表面側主面４１は、前記絶縁表面を構成する、即ち、前記物品と接触する載置側板状部材１の表面として、水滴を吸収可能であり、かつ、発光領域１２からの発光の少なくとも一部を透過可能な水滴吸収層４１２を有することが好ましく、例えば、本発明の載置側板状部材１をコースター１として使用し、その上に冷たい飲み物を入れたグラスを更に載置した場合に、露結した水滴がコースター１上に溜まらないので、汚れたイメージを観察者に与えたり、本発明に係る発光領域１２によりもたらされる意匠性を損ねたりすることが無い。
【００５３】
前記水滴吸収層４１２としては、発光領域１２からの発光を透過可能な細木を組み合わせた格子板や、多孔質珪藻土を格子上に配置した層を用いることができる。その厚みとしては、軽く薄い本発明の載置側板状部材１を実現しつつ、上述の水滴吸収性を十分に確保する観点から、好ましくは０．２ｍｍ以上、３ｍｍ以下、より好ましくは０．５ｍｍ以上、１．５ｍｍ以下とすることである。
【００５４】
（裏面側主面４２）
本発明に係る裏面側主面４２は、前記載置平面４２４であって、前記絶縁表面を構成し、かつ、多少の凹凸を含んでも良い載置平面４２４を含む底部材４２０を含み、好ましくは、前記底部材４２０は、前記載置平面４２４として表面算術平均粗さＲaが１μｍ以上、１ｍｍ以下の一主面を有する樹脂フィルム４２１を含み、このような凹凸を含む載置平面４２４を有する本発明の載置側板状部材１とすることで、例えば水滴により、載置側板状部材１が、本発明に係る被載置平面９９に張り付くことが防止される。
【００５５】
また、前記樹脂フィルム４２１は、前記張り付き防止効果をより一層向上せしめる観点から、撥水性を有することが好ましく、より好ましくは含フッ素樹脂、例えばＰＴＦＥ、とすることであり、安価材料により簡単に形成せしめる観点から、より好ましくは、前記内部構成部品３を、さらに好ましくは、前記受電機構２を、ラミネート加工により被覆可能なラミネートフィルムとすることである。
【実施例】
【００５６】
以下、本発明の具体的な実施例について説明する。
【００５７】
（実施例１）
透明導電性金属酸化物膜ＩＴＯが製膜された０．７ｍｍ厚みのガラス基板を用い、以下の手順で本発明に係る有機ＥＬ発光パネル１０を作製し、これに、本発明に係る、磁性体板状部材２０、及び受電機構（Ｒx）２を取り付けることで内部構成部品３を構成した後、この内部構成部品３に、本発明に係る天板４１１、及び底部材４２０として厚み２ｍｍのアクリル板であって、平面視内部構成部品３の全体を覆うアクリル板を取り付けることで、実施例１の載置側板状部材（コースター）１を製造した。作製した有機ＥＬ発光パネル１０は、その外形と同一となるガラス外形が９０ｍｍ×９０ｍｍであり、その発光領域１２が８０ｍｍ×８０ｍｍである。
【００５８】
最初に、前記ガラス基板上に、透明導電性陽極層をウェットエッチング法にてパターニングすることで形成することで有機ＥＬ発光素子形成用基板を準備した。
【００５９】
次に、この有機ＥＬ発光素子形成用基板の上に、機能層として、順に正孔注入層、正孔輸送層、発光層、電子輸送層、及び電子注入層を所定のマスクを用いて真空蒸着法で積層し、その上にアルミニウムからなる金属陰極層を所定のマスクを用いて真空蒸着法で積層して有機ＥＬ発光素子１１を形成した。
【００６０】
次に、この有機ＥＬ発光素子１１上に、所定のマスクを用いＣＶＤ法でシリコン窒化膜を製膜し、続いてポリシラザンをスプレー法にて塗布し焼成して封止層を形成することで封止した。
【００６１】
次に、この封止された有機ＥＬ発光素子１１上に、粘着材付きＰＥＴからなる保護フィルムを貼り付け、有機ＥＬ発光パネル１０を作製した。
【００６２】
次に、この有機ＥＬ発光パネル１０の発光面であるガラス基板とは反対側の面に、磁性体板状部材２０であって、平面視有機ＥＬ発光パネル１０の全面を覆う磁性体板状部材２０を配置し、さらに、この磁性体板状部材２０に接して受電機構（Ｒx）２を配置し、これらパネル１０、磁性体板状部材２０、及び受電機構（Ｒx）２からなる内部構成部品３を前述のアクリル板で挟持固定することで、本発明のコースター１を作製した。なお、このアクリル板による挟持の前に、発光パネル１０中の有機ＥＬ発光素子１１の各電極層を各々、前記受電機構（Ｒx）２の各電極と電気接続した。
【００６３】
図４に、このようにして作成した実施例１の載置側板状部材１の写真（斜視図）を示す。
【００６４】
別途、本発明に係る被載置側板状部材９の被載置側板状部材本体として、仮想のテーブル天板として、厚み２ｍｍのアクリル板を準備し、その片面であって、被載置平面９９としない片面に給電機構（Ｔx）９１を配置固定し、その給電機構（Ｔx）９１の各電極を外部電源の電極に各々リード線で接続することで、給電機構（Ｔx）９１付きの仮想テーブル９を準備した。
【００６５】
このコースター１を、仮想テーブル９に載置したところ、点灯した。
【００６６】
（実施例２）
実施例１と同様にして、有機ＥＬ発光パネル１０を作製し、これに、本発明に係る、天板４１１等、透光性材料層３０であるＯＣＦフィルム、及び磁性体板状部材２０を取り付け、駆動回路、及び給電機構２を取り付けた。
【００６７】
図５に、駆動回路、及び給電機構２を取り付け前であり、かつ、底部材４２０取り付け前の載置側板状部材１の写真（斜視図）を示す。
【００６８】
このような、実施例２の底部材４２０取り付け前の載置側板状部材１に、１０μｍ凹凸を片面に含むＰＴＦＥ／ＥＶＡ、のラミネートフィルムを、ＰＴＦＥの凹凸面が外側になるようにラミネートすることで、実施例２の載置側板状部材１を完成させた。
【００６９】
この実施例２の載置側板状部材１を、被載置側板状部材本体を除いた被載置側板状部材９に近付けて配置したことろ、点灯した。図６にこのときの様子を示す。
【００７０】
この実施例２の載置側板状部材１を、前記仮想テーブル９に載置したところ同様に点灯し、さらに、このコースター１の上に冷たい飲み物の入ったグラスを載置し、１０分間放置したところ、ＰＴＦＥの表面には水が露結しついていたが、コースター１はテーブル９に張り付いておらず、簡単に取り外すことができた。
【符号の説明】
【００７１】
１      載置側板状部材（コースター）
１０    有機ＥＬ発光パネル
１１    有機ＥＬ発光素子
１２    発光領域
２      給電機構
２０    磁性体板状部材
３      内部構成部品
３０    透光性材料層
４      全表面（筐体）
４１    表面側主面
４１１  天板
４１２  水滴吸収層
４２    裏面側主面
４２０  底部材
４２１  樹脂フィルム
４２４  載置平面
９      被載置側板状部材（テーブル天板）
９１    給電機構（Ｔx）
９９    被載置平面
１００  発光システム
【図１】
2016219225.tif 000003
【図２】
2016219225.tif 000004
【図３】
2016219225.tif 000005
【図４】
2016219225.tif 000006
【図５】
2016219225.tif 000007
【図６】
2016219225.tif 000008